(57)【要約】【課題】暗い場所においてストロボ発光を利用して撮影動作を行なう場合に、ストロボ発光部からの光により被写体に影が発生することを抑制して、鮮明な画像を得ることができるようにした撮影機能付き携帯端末装置を提供する。【解決手段】表示部１４の表示画面が配置される表示側面１３を有する第１筐体４と、複数の操作キー２４が配置される操作面２８を有する第２筐体６とが回動自在に連結され、表示側面１３と操作面２８が互いに接近するように折り畳むことができる撮影機能付き携帯端末装置２であって、第１筐体４の表示画面と同じ面側に撮像部１８とストロボ発光部２０，２２が設けられ、第２筐体６の操作面２８及び複数の操作キー２４の頂面がハーフミラー部材３０により形成されるようにした。【選択図】      図１
2004357140.tif 000002
【特許請求の範囲】
【請求項１】
表示部の表示画面が配置される表示側面を有する第１筐体と、複数の操作キーが配置される操作面を有する第２筐体とが回動自在に連結され、前記表示側面と前記操作面が互いに接近するように折り畳むことができる撮影機能付き携帯端末装置であって、
前記第１筐体の表示画面と同じ面側に撮像部とストロボ発光部が設けられ、
前記第２筐体の操作面及び複数の操作キーの頂面がハーフミラー部材により形成されている
ことを特徴とする撮影機能付き携帯端末装置。
【請求項２】
前記撮像部が撮影動作をしないときは、前記ハーフミラー部材は前記第２筐体内に設けられた光源の発する光に照らされて鏡として機能せず、
前記撮像部が撮影動作をするときは、前記光源を消灯させて前記ハーフミラー部材を鏡として機能させるようにした
ことを特徴とする請求項１に記載の撮影機能付き携帯端末装置。
【請求項３】
前記複数の操作キーのうち、頂面を形成するハーフミラー部材を除く部材が透明または半透明の部材で形成されていることを特徴とする請求項２に記載の撮影機能付き携帯端末装置。
【請求項４】
前記撮像部が撮像する被写体が撮影動作前に前記表示画面に表示されるようにしてあることを特徴とする請求項１ないし３のいずれか一つに記載の撮影機能付き携帯端末装置。
【請求項５】
前記撮像部が撮影動作をするとき前記ストロボ発光部からの光が複数の方向に照射され、
これらの光のうちの一方向の光が直接被写体を照射すると共に、他方向の光が鏡として機能する前記ハーフミラー部材により反射された後に被写体を照射するように、
前記第１筐体と前記第２筐体の間の折り畳み角度を所定角度の範囲内に設定するようにした
ことを特徴とする請求項１ないし４のいずれか一つに記載の撮影機能付き携帯端末装置。
【請求項６】
前記折り畳み角度が前記所定角度の範囲内にあることを示す印を前記第１筐体と前記第２筐体の連結部に設けたことを特徴とする請求項５に記載の撮影機能付き携帯端末装置。
【発明の詳細な説明】
【０００１】
【発明の属する技術分野】
本発明は、２つの筐体が折り畳み可能に構成され、撮像部とストロボ発光部を備えることにより、暗い場所でも撮影動作を行なうことができるようにした撮影機能付き携帯端末装置に関するものである。
【０００２】
【従来の技術】
従来においては、例えば、ＣＣＤ（Ｃｈａｒｇｅ  Ｃｏｕｐｌｅｄ  Ｄｅｖｉｃｅ）カメラ等を備える撮影機能付き携帯電話機のような、撮影機能付き携帯端末装置があった。そして、このような撮影機能付き携帯端末装置に、照射方向が撮像方向と同じ方向となるようにしてストロボ発光部を設け、暗い場所でも被写体を撮影することができるようにしたものがあった（例えば、特許文献１参照）。
【０００３】
一方、携帯電話機等の携帯端末装置には、１つの筐体で構成されるようになっているものや、２つの筐体が折り畳み自在に連結されるようになっているものなどがあり、いずれの携帯端末装置についても、前記のような撮像部及びストロボ発光部を設けることができる。
【０００４】
【特許文献１】
特開２００１−３２０４５４号公報
【０００５】
【発明が解決しようとする課題】
しかしながら、このような従来の撮影機能付き携帯端末装置では、暗い場所での撮影動作時に、ストロボ発光部から発する光が被写体を一方向からのみ照射するようになっていたため、被写体に影が発生し易くなり、鮮明な画像を得ることが難しいという問題があった。
【０００６】
そこで本発明は、上記問題点に鑑みて、暗い場所においてストロボ発光を利用して撮影動作を行なう場合に、ストロボ発光部からの光により被写体に影が発生することを抑制して、鮮明な画像を得ることができるようにした撮影機能付き携帯端末装置を提供することを課題とするものである。
【０００７】
【課題を解決するための手段】
上記課題を解決するために本発明は、
表示部の表示画面が配置される表示側面を有する第１筐体と、複数の操作キーが配置される操作面を有する第２筐体とが回動自在に連結され、前記表示側面と前記操作面が互いに接近するように折り畳むことができる撮影機能付き携帯端末装置であって、
前記第１筐体の表示画面と同じ面側に撮像部とストロボ発光部が設けられ、
前記第２筐体の操作面及び複数の操作キーの頂面がハーフミラー部材により形成されるようにしたことを特徴とするものである。
【０００８】
また、前記撮影機能付き携帯端末装置は、前記撮像部が撮影動作をしないときには、前記第２筐体内に備える光源を発光させることにより、少なくとも前記操作キーのハーフミラー部材を鏡として機能させないようにし、前記撮像部が撮影動作をするときには、前記光源を消灯させて前記操作キーの頂面及び操作面を構成する前記ハーフミラー部材を鏡として機能させるようにすることが好ましい。
【０００９】
また、前記撮影機能付き携帯端末装置は、前記複数の操作キーを構成する複数の部材のうち、頂面を形成するハーフミラー部材を除く部材を、透明又は半透明の部材により形成することが好ましい。
【００１０】
また、前記撮影機能付き携帯端末装置は、前記撮像部が撮像する被写体を撮影動作前に前記表示画面に表示するようにすることが好ましい。
【００１１】
また、前記撮影機能付き携帯端末装置は、前記撮像部が撮影動作をするとき、前記ストロボ発光部からの光が複数の方向に照射され、これらの光のうち一の方向の光が直接被写体を照射すると共に、他方向の光が鏡として機能するハーフミラー部材により反射されたあとに被写体を照射するように、前記第１筐体と前記第２筐体の間の折り畳み角度を所定角度の範囲内に設定するように構成することが好ましい。
【００１２】
また、前記撮影機能付き携帯端末装置は、前記折り畳み角度が前記所定角度の範囲内にあることを示す印を前記第１筐体と前記第２筐体の連結部に設けることが好ましい。
【００１３】
【発明の実施の形態】
以下、本発明に係る撮影機能付き携帯端末装置の実施の形態について、図面に基づいて具体的に説明する。図１ないし図４は、本発明の一実施の形態に係る撮影機能付き携帯電話機２（撮影機能付き携帯端末装置に相当）について説明するために参照する図である。
【００１４】
図１に示すように、撮影機能付き携帯電話機２は、第１筐体４と第２筐体６とが、ヒンジ構造の連結部８を介して回動自在に連結されている。なお、連結部８は、第１筐体４の端部に備える第１の軸受部１１と、第２筐体６の端部に備える第２の軸受部１２と、軸部材１０とを有し、この軸部材１０を前記第１及び第２の軸受部１１，１２内にそれぞれ挿通させることで２つの筐体４，６が連結されている。また、軸部材１０は、第１筐体４に固定されるようになっている。
【００１５】
第１筐体４は、連結部８側の方から順に、表示部１４、スピーカー１６が設けられると共に、連結部８から最も離れた先端部の位置に、撮像部１８及び２つのストロボ発光部２０，２２が幅方向に並んで設けられる表示側面１３を有している。
【００１６】
また、第２筐体６は、複数の操作キー２４及びマイクロホン２６が配置される操作面２８を有するようになっており、図２に示すように、この操作面２８及び複数の操作キー２４の表層部は、ハーフミラー構造を有する層状のハーフミラー部材３０により形成されている。
【００１７】
ハーフミラー構造とは、例えば薄い金属膜の形成された透明部材（透明ガラスや透明プラスチック等）の金属膜の側の面に、他の透明部材を貼り合わせるようにした構造であって、その裏側が明るいときはその裏側が透けて見え、その裏側が暗いときは表側の面が鏡として機能するようなものである。なお、操作面２８及び複数の操作キー２４の表層部は、このようなハーフミラー部材３０と同様の作用効果を有する他の材料で形成されるようになっていてもよい。
【００１８】
そして、各操作キー２４の近傍であって操作面２８及び複数の操作キー２４の後方（第２筐体６の内部）には、ＬＥＤ（発光ダイオード）等の光源３２が備えられている。また、各操作キー２４は、その頂面側から、ハーフミラー部材３０、キートップ部３４、キーシート部３６、クリック板３８により構成され、これらキートップ部３４、キーシート部３６、クリック板３８は、それぞれ透明又は半透明の部材で構成されるようになっている。
【００１９】
そのため、光源３２が光を発しているときには、その光がキートップ部３４、キーシート部３６、クリック板３８及びハーフミラー部材３０を透過することにより、各操作キー２４のキートップ部３４に印刷されている数字や文字等を、頂面側から読み取ることができるようになっている。
【００２０】
また、図１に示すように、この撮影機能付き携帯電話機２の長さ方向と平行であって、第２筐体６の操作面２８と互いに隣り合う側面４０には、ストロボ発光部２０，２２の動作準備を行なわせるためのストロボ準備ボタン４２と、撮像部１８に撮影動作させるためのレリーズボタン４４が設けられるようになっている。
【００２１】
第１筐体４の撮像部１８は、その撮像方向が表示画面１４に対して略直角な方向に向くようにして設けられている（図中、矢印Ａ）。この撮像部１８の機能を動作させている間は、表示部１４はファインダーとして機能するようになっており、第２筐体６のレリーズボタン４４が押し込まれて撮影動作を行なうまでは、撮像部１８が映している被写体が表示画面１４に表示されるようになっている。
【００２２】
また、第１筐体４の２つのストロボ発光部２０，２２は、第２筐体６のストロボ準備ボタン４２を押しこみ、動作準備を行なわせた後、レリーズボタン４４を押し込むことにより撮像部１８が撮影動作を行なうのと同時に発光するようになっている。
【００２３】
２つのストロボ発光部２０，２２のうち、ストロボ発光部２０は、その中心線が撮像部１８の撮像方向と平行となって、一定の角度の広がりを持って被写体を照射するようになっている（図１中、矢印Ｂ）。また、ストロボ発光部２２は、第１筐体４と第２筐体６の折り畳み角度が所定角度の範囲内となるように開いた状態において、光の中心線が第２筐体６の操作面２８に向けて発光され、一定の角度の広がりを持って光を照射するようになっており、この操作面２８からの反射光が、撮像部１８から所定の距離又はその近傍にある被写体を照射するようになっている（図１中、矢印Ｃ）。
【００２４】
そのため、図３に示すように、被写体Ｆは、ストロボ発光部２０から直接来る光Ｂと、操作面２８に反射されて来るストロボ発光部２２からの光Ｃにより、互いに異なる角度で照射されるようになっているので、被写体Ｆに影が発生することが抑制されるようになっている。
【００２５】
また、図４に示すように、連結部８の軸部材１０における側面４０側の端面４６、及びこれに対応する軸受部１２の端面４８には、第１筐体４と第２筐体６の折り畳み角度が、ストロボ発光部２２からの光が第２筐体６の操作面２８に反射して被写体を照射するような所定角度の範囲内となるように調節することができるように、軸部材１０の端面４６には三角表示５０が、第２の軸受部１２の端面４８には目盛表示５２が設けられている。このような第１筐体４と第２筐体６がなす折り畳み角度についての所定角度の範囲として、例えば１１０°ないし１２０°の範囲が適切であるようにする。
【００２６】
このような撮影機能付き携帯電話機２は、以下のように動作させることができる。まず、この撮影機能付き携帯電話機２を使用しないときには、第１筐体４の表示画面１４と第２筐体６の操作面２８が、互いに接近するように連結部８を介して折り畳むことができるようになっている。
【００２７】
そして、この撮影機能付き携帯電話機２の何等かの機能を利用するために、折り畳んだ状態から第１筐体４と第２筐体６を開くと、操作面２８の内側の光源３２が各操作キー２４を後方から照らすようになっており、各操作キー２４のハーフミラー部材３０は鏡として機能せずに光源３２からの光を透過させて、各操作キー２４の数字や文字等を読み取ることができて、各種のキー操作を行なうことができるようになっている。
【００２８】
この状態で、一定時間何等の操作も行なわれないときには、光源３２を発光させないようになっている。このとき、操作面２８及び各操作キー２４のハーフミラー部材３０は鏡として光を反射するようになる。
【００２９】
また、第１筐体４と第２筐体６を開いた状態でも操作キー２４を操作して、撮像部１８の撮影機能を起動させた場合には、光源３２を発光させないようにする。このことにより、やはり操作面２８及び各操作キー２４のハーフミラー部材３０は鏡として光を反射するようになる。
【００３０】
そして、図４に示すように、連結部８の軸部材１０の端面４６及び軸受部１２の端面４８に設けられた三角表示５０及び目盛表示５２を見ながら、所定角度の範囲内に納まるように第１筐体４と第２筐体６の折り畳み角度を調整すると共に、被写体Ｆが撮像部１８から所定の距離又はその近傍となるように位置調整をした後、ストロボ準備ボタン４２、さらにレリーズボタン４４を操作して撮像部１８が撮影動作することにより、被写体Ｆに影が発生することが抑制されて鮮明な撮影画像を得ることができる。
【００３１】
一方、明るい場所で撮影動作を行なう場合には、ストロボ準備ボタン４２を操作せずにレリーズボタン４４のみを操作して、ストロボ発光部２０，２２を使用しない通常の撮影動作を行なうことができることはいうまでもない。
【００３２】
このような撮影機能付き携帯電話機２によれば、被写体Ｆは、ストロボ発光部２０から直接来る光と、操作面２８及び複数の操作キー２４の表層部のハーフミラー部材３０に反射されて来るストロボ発光部２２からの光により、互いに異なる角度から照射されるようにすることにより、被写体Ｆに影が発生することを抑制することができるため、暗い場所においてストロボ発光を利用して撮影動作を行なう場合であっても、鮮明な撮影画像を得ることができる。
【００３３】
また、撮影機能を動作させない場合には、操作面２８の各操作キー２４の後方にある光源３２が点灯してハーフミラー部材３０は鏡として機能せずに光源３２からの光を透過させて、各操作キー２４に印刷されている数字や文字等を読み取ることができると共に、一定時間各操作キー２４の操作が行なわれない場合には、光源３２が消灯してハーフミラー部材３０が鏡として機能することができるようになっている。
【００３４】
また、連結部８の軸部材１０の端面４６及び軸受部１２の端面４８に三角表示５０及び目盛表示５２を設けるようにしたことにより、第１筐体４と第２筐体６の折り畳み角度が、ストロボ発光部２２からの光が第２筐体６の操作面２８に反射して被写体Ｆを照射するような所定角度の範囲内となるように、簡単に調節することができる。
【００３５】
なお、本実施の形態においては、撮影機能付き携帯電話機２に２つのストロボ発光部２０，２２を備えるようにしたが、照射する角度が広いストロボ発光部を１つだけ備えるようにして、このストロボ発光部からの一部の光が被写体Ｆを直接照射すると共に、他の一部の光が第２筐体６の操作面２８に反射した後に被写体Ｆを照射するようにしてもよい。
【００３６】
また、本実施の形態においては、連結部８の軸部材１０の端面４６及び軸受部１２の端面４８に設けた三角表示５０及び目盛表示５２により、第１筐体４と第２筐体６の折り畳み角度が所定角度の範囲内にあることが判るようにしたが、これらの表示は、折り畳み角度が所定角度の範囲内にあることが判るようなものであれば、このようなものに限られない。
【００３７】
また、本実施の形態においては、本発明を撮影機能付き携帯電話機に適用した場合について説明したが、撮影機能を備えるＰＤＡ（Ｐｅｒｓｏｎａｌ  Ｄｉｇｉｔａｌ  Ａｓｓｉｓｔａｎｔ）等のような、他の種類の撮影機能付き携帯端末装置についても本発明を適用することができることはいうまでもない。
【００３８】
【発明の効果】
以上説明したように、本発明の撮影機能付き携帯端末装置によれば、被写体は、ストロボ発光部から直接来る光と、操作面及び複数の操作キーの頂面を形成するハーフミラー部材により反射されて来る光によって、被写体に対して互いに異なる角度から照射することができるため、被写体に影が発生することを抑制することができ、暗い場所においてストロボ発光を利用して撮影動作を行なう場合であっても、鮮明な撮影画像を得ることができる。
【００３９】
また、撮影機能を動作させない場合には操作キー後方の光源が点灯することにより、ハーフミラー部材の鏡としての機能が解除されて、各操作キーに印刷されている数字や文字等を読み取ることができると共に、一定時間操作が行なわれない場合には光源が消灯して、ハーフミラー部材が鏡としての機能を発揮するようになっていることにより、ハーフミラー部材を光の反射に利用することができる。
【図面の簡単な説明】
【図１】本発明の一実施の形態に係る撮影機能付き携帯電話機２を示す斜視図である。
【図２】図１における操作キー２４の断面図である。
【図３】本発明の一実施の形態に係る撮影機能付き携帯電話機２により、ストロボ発光部２０，２２を用いた撮影動作状態を示す側面図である。
【図４】図１における連結部８の三角表示５０と目盛表示５２を示す撮影機能付き携帯電話機２の部分拡大側面図である。
【符号の説明】
２  撮影機能付き携帯電話機
４  第１筐体
６  第２筐体
８  連結部
１０  軸部材
１２  軸受部
１３  表示側面
１４  表示部
１６  スピーカー
１８  撮像部
２０，２２  ストロボ発光部
２４  操作キー
２６  マイクロホン
２８  操作面
３０  ハーフミラー部材
３２  光源
３４  キートップ部
３６  キーシート部
３８  クリック板
４０  側面
４２  ストロボ準備ボタン
４４  レリーズボタン
４６  端面
４８  端面
５０  三角表示
５２  目盛表示
【図１】
2004357140.tif 000003
【図２】
2004357140.tif 000004
【図３】
2004357140.tif 000005
【図４】
2004357140.tif 000006